(57)【要約】【課題】施工作業の邪魔になり難い手摺を仮設することができる仮設手摺の支柱取付け具、及び、仮設手摺の形成方法を提供する。【解決手段】建設現場の足場に仮設される仮設手摺の支柱５０を該支柱５０が立設される立設対象に取付けるための支柱取付け具１０であって、中空状に形成された中空部材２０と、該中空部材２０の一側に固設され、前記立設対象を前記仮設手摺の幅方向の複数箇所にてクランプする固定クランプ部３０と、前記中空部材２０の他側に固設され、前記支柱５０をクランプする支柱クランプ部４０とを備える。【選択図】図１
2008255689.tif 000002
【特許請求の範囲】
【請求項１】
建設現場の足場に仮設される仮設手摺の支柱を該支柱が立設される立設対象に取付けるための支柱取付け具であって、
中空状に形成された中空部材と、
該中空部材の一側に固設され、前記立設対象を前記仮設手摺の幅方向の複数箇所にてクランプする固定クランプ部と、
前記中空部材の他側に固設され、前記支柱をクランプする支柱クランプ部と
を備えることを特徴とする仮設手摺の支柱取付け具。
【請求項２】
建設現場の足場に仮設される仮設手摺の形成方法であって、
前記請求項１記載の支柱取付け具を用い、
上部側方に延出する上部フランジ及び下部側方に延出する下部フランジを有する建造物の梁材の前記下部フランジに前記固定クランプ部をクランプさせることで前記梁材に前記支柱取付け具を固定し、
梁材に固定された前記支柱取付け具の前記支柱クランプ部に支柱をクランプさせることで立設対象である前記梁材に支柱を立設し、
梁材に立設された複数の前記支柱間に手摺バーを架渡す
ことを特徴とする仮設手摺の形成方法。
【発明の詳細な説明】
【技術分野】
【０００１】
本発明は、建設現場の足場に仮設される仮設手摺の支柱を該支柱が立設される立設対象に取付けるための支柱取付け具、及び、建設現場の足場に仮設される仮設手摺の形成方法に関するものである。
【背景技術】
【０００２】
建物、橋梁、高架道等の建造物を建設する場合、建設現場の足場に手摺を仮設する場合がある。ここで、足場の手摺を仮設する従来の手法の一例を、以下に説明する。
【０００３】
例えば、図３に示すように、建造物の梁材Ｈが横向きのＨ鋼によって構成されており、この梁材Ｈを足場として手摺１を仮設する場合、梁材Ｈが、上部側方に延出する上部フランジＨａ及び下部側方に延出する下部フランジＨｂを有するものであるため、まず、上部フランジＨａ及び下部フランジＨｂの夫々に、個別の支柱取付け具２を固定する。次に、上下の各支柱取付け具２に支柱３を支持させることで、足場の適宜箇所に手摺の支柱３を立設する。そして、適宜箇所に立設された複数の支柱３間に、手摺バー取付け具４を用いて手摺バー５を架渡し、これにより手摺１を仮設することが、一般に行われている。
【０００４】
ところで、手摺の支柱を足場の適宜箇所に立設するために用いられる従来の支柱取付け具は、支柱が立設される立設対象（上述の例では、建造物の梁材）を挟持ボルトによって挟持することで立設対象に固定されるシャコ万状の固定クランプ部と、ボルトやナットの締付けによって縮径して手摺の支柱の外面を把持するＣ字状の支柱クランプ部とを具備するものである。
【０００５】
また、従来の支柱取付け具は、支柱の立設対象に対して斜めに支柱を立設することができるように、固定クランプ部と支柱クランプ部とが相互に回動可能に組付けられているのが一般的である。よって、従来の支柱取付け具は、固定クランプ部と支柱クランプ部との間にガタツキのあるものであるが、二つの支柱取付け具を支柱の立設対象の上部及び下部の二箇所に固定し、上下の支柱取付け具によって一本の支柱を支持させることで、立設対象に支柱をガタツキなく堅固に立設することができるようにしている。
【０００６】
また、支柱間に手摺バーを架渡すために用いる従来の手摺バー取付け具は、上述の支柱クランプ部と同様に構成された二つのクランプ部を具備するものであり、支柱間に手摺バーを架渡す際には、手摺バー取付け具を、一方のクランプ部によって支柱の適宜箇所に固定し、手摺バーを、支柱に固定された手摺バー取付け具の他方のクランプ部によって支持させることが、一般に行われている。また、手摺バー取付け具は、支柱に対して斜めに手摺バーを架渡すことができるように、各クランプ部が相互に回動可能に組付けられているのが一般的である。
【０００７】
上記背景技術は、一般的になされている事項であり、本願出願人は、出願時において、この背景技術が記載された文献を特に知見していない。
【発明の開示】
【発明が解決しようとする課題】
【０００８】
前述のように建造物の梁材に手摺を仮設すると、梁材の上部のフランジに支柱取付け具が固定されているため、梁材の上面にコンクリートを打設したり床材を敷設する等して建造物の床面を形成する施工作業の際に、支柱取付け具が邪魔になることがある。また、梁材の近傍に手摺の支柱が立設されているため、外壁材を取付けたり梁材の上部に鉄鋼材を組付ける等して建造物の壁面を形成する施工作業の際に、手摺の支柱が邪魔になることがある。そして、このような場合、仮設された手摺を一旦、取外して、施工作業を行うことが余儀なくされる。よって、施工作業の安全面の見地から、改善が望まれる。また、手摺を一旦、取外して、適宜の施工作業を行った後に再度、手摺を取付ける場合、手摺の取付け作業が二度手間であり、作業性の効率面の見地から、改善が望まれる。
【０００９】
本発明は、上記実状を鑑みてなされたものであり、施工作業の邪魔になり難い手摺を仮設することができる仮設手摺の支柱取付け具、及び、仮設手摺の形成方法の提供を課題とする。
【課題を解決するための手段】
【００１０】
上記課題を解決するために本発明の採った主要な手段は、
「建設現場の足場に仮設される仮設手摺の支柱を該支柱が立設される立設対象に取付けるための支柱取付け具であって、
中空状に形成された中空部材と、
該中空部材の一側に固設され、前記立設対象を前記仮設手摺の幅方向の複数箇所にてクランプする固定クランプ部と、
前記中空部材の他側に固設され、前記支柱をクランプする支柱クランプ部と
を備えることを特徴とする仮設手摺の支柱取付け具」
である。
【００１１】
また、
「建設現場の足場に仮設される仮設手摺の形成方法であって、
前記請求項１記載の支柱取付け具を用い、
上部側方に延出する上部フランジ及び下部側方に延出する下部フランジを有する建造物の梁材の前記下部フランジに前記固定クランプ部をクランプさせることで前記梁材に前記支柱取付け具を固定し、
梁材に固定された前記支柱取付け具の前記支柱クランプ部に支柱をクランプさせることで立設対象である前記梁材に支柱を立設し、
梁材に立設された複数の前記支柱間に手摺バーを架渡す
ことを特徴とする仮設手摺の形成方法」
である。
【００１２】
本発明に係る仮設手摺の形成方法では、従来において建造物の梁材の上部フランジに固定する支柱取付け具を省略し、下部フランジに固定した支柱取付け具によって支柱を立設するため、建造物の床面の施工作業において、支柱取付け具が邪魔になり難い。
【００１３】
また、本発明に係る支柱取付け具では、固定クランプ部と支柱クランプ部とが、中空部材の一側及び他側の夫々に固設された、すなわち「固定して設けられた」ものであり、固定クランプ部が、支柱の立設対象を仮設手摺の幅方向の複数箇所にてクランプするものであるため、単体の支柱取付け具によって、立設対象に支柱を堅固に立設することができる。よって、上述のように上部フランジの支柱取付け具を省略しても、支柱の堅固な立設に支障を来たさない。
【００１４】
また、本発明に係る支柱取付け具では、固定クランプ部と支柱クランプ部との間に中空部材が介在されることになり、固定クランプ部が固定された立設対象と、支柱クランプ部に支持された支柱との間に、中空部材によってある程度の間隙が確保される。よって、建造物の床面の施工作業において、支柱が邪魔になり難い。
【００１５】
なお、固定クランプ部と支柱クランプ部との間に中空部材を介在させる分だけ、支柱取付け具が大型となるのであるが、中空部材は、中空状に形成されているため、支柱取付け具自体の大幅な重量の増加を抑えることができ、支柱取付け具の取扱いに大きな支障を生じさせない。
【発明の効果】
【００１６】
上述した通り、本発明によれば、施工作業の邪魔になり難い手摺を仮設することができる仮設手摺の支柱取付け具、及び、仮設手摺の形成方法の提供することができる。
【発明を実施するための最良の形態】
【００１７】
本発明に係る仮設手摺の支柱取付け具及び仮設手摺の形成方法の実施形態としての一例を、以下、図面に従って詳細に説明する。
【００１８】
図１に、支柱取付け具１０の一例を示す。この支柱取付け具１０は、中空状に形成された中空部材２０と、中空部材２０の一側に固設された固定クランプ部３０と、中空部材２０の他側に固設された支柱クランプ部４０とを具備してなるものである。
【００１９】
中空部材２０は、鋼管等の金属製の角パイプによって構成されており、軽量でも十分な剛性を有するものである。
【００２０】
なお、本例では、中空部材２０の姿勢を、角パイプの軸線が仮設手摺の幅方向に沿うような姿勢としているが、これに限らず、角パイプの軸線が仮設手摺の高さ方向や奥行き方向に沿うような姿勢としてもよい。また、中空部材２０としては、角パイプに限らず、丸パイプを素材としてもよく、鋼板を中空状に溶接した溶接構造や、中空状の鋳物による鋳造構造としてもよい。
【００２１】
固定クランプ部３０は、夫々、コ字状の基体３２と、基体３２の上部先端部に螺合された挟持ボルト３３とを有するシャコ万状に形成され、仮設手摺の幅方向に連設された二つの挟持具３１によって構成されている。ここで、各挟持具３１は、中空部材２０の一側において、その基体３２が溶接されており、中空部材２０に堅固に固設されている。
【００２２】
このような固定クランプ部３０を具備する支柱取付け具１０では、各挟持具３１の基体３２の上部先端部に設けられた挟持ボルト３３と基体３２の下部先端部とで支柱５０の立設対象を挟持することで、立設対象に固定される。
【００２３】
なお、本例では、固定クランプ部３０を二つの挟持具３１によって構成したが、三つ以上の挟持具３１によって構成してもよい。また、固定クランプ部３０を構成する複数の挟持具３１を、夫々、個別の基体３２を有するものとしたが、各挟持具３１の基体３２を共通する部材によって形成してもよい。
【００２４】
支柱クランプ部４０は、半円弧状の台座４２と、この台座４２に基端側が軸支され、台座４２に対して回動自在に支持された半円弧状の蓋体４３と、台座４２に基端側が軸支され、台座４２に対して回動自在に支持されたボルト４５と、このボルト４５の先端側に螺合された締付けナット４６とを有する把持具４１によって構成されている。ここで、把持具４１の蓋体４３の先端側には、側方からボルト４５が装着される切欠き状のボルト装着部４４が設けられている。また、把持具４１は、中空部材２０の他側において、その台座４２が溶接されており、中空部材２０に堅固に固設されている。
【００２５】
このような支柱クランプ部４０を具備する支柱取付け具１０では、蓋体４３のボルト装着部４４からボルト４５を逃がして蓋体４３を開かせた状態（図１における２点鎖線参照）で、台座４２と蓋体４３との間に仮設手摺の支柱５０を挿通し、蓋体４３を閉じて蓋体４３のボルト装着部４４にボルト４５を装着し、締付けナット４６を締付けると、台座４２の内面と蓋体４３の内面とで形成されたＣ字状の把持面が縮径し、台座４２と蓋体４３との間に挿通された支柱５０の外面が、台座４２の内面と蓋体４３の内面とで把持され、支柱５０が堅固に支持される。
【００２６】
次に、図２に示すように、上述の支柱取付け具１０を用いて仮設手摺７０を形成する手法を説明する。なお、以下では、Ｈ鋼によって構成された鉄骨建築物の梁材Ｈを足場として、この梁材Ｈに仮設手摺７０を仮設する例を示す。
【００２７】
梁材Ｈは、横向きにしたＨ鋼によって構成されており、上部側方に延出する上部フランジＨａと下部側方に延出する下部フランジＨｂとを有するものとなっている。よって、まず、梁材Ｈの下部フランジＨｂの適宜箇所に、支柱取付け具１０を、その固定クランプ部３０によって固定する。次に、梁材Ｈに固定された支柱取付け具１０の支柱クランプ部４０に支柱５０を支持させる。これにより、立設対象である梁材Ｈの適宜箇所に、堅固な支柱５０を立設することができる。
【００２８】
次に、隣接する支柱５０間に、手摺バー６０を架渡す。ここで、本例では、支柱５０の外周面に、１８０°、９０°及び９０°の間隔で、三つのフック５１が設けられている。また、全周で三つのフック５１を１セットとして、支柱５０の上端部分及び中間部分の夫々に、１セット分のフック５１が設けられている。また、各フック５１は、Ｌ字状の上端が内側に僅かにオーバーハングした形状、すなわち「上辺が短いコ字状」に形成されている。一方、手摺バー６０は、互いにスライド可能に挿通された外筒６１及び内筒６２から構成されており、全体の長さが伸縮可能となっている。また、手摺バー６０は、止めネジによって外筒６１に対して内筒６２を固定することで、全体の長さが固定可能となっている。さらに、手摺バー６０の両端には、支柱５０のフック５１に掛止される貫通孔状の掛止孔６３が設けられている。
【００２９】
隣接する支柱５０間に手摺バー６０を架渡す手順は、次の通りである。まず、架渡す支柱５０の間隔にあわせて、手摺バー６０の長さを調節する。次に、手摺バー６０の両端の掛止孔６３を隣接する支柱５０の夫々のフック５１に掛止させて、支柱５０間に手摺バー６０を架渡す。この時、支柱５０のフック５１が、上辺が短いコ字状に形成されているため、手摺バー６０の架渡し作業は、手摺バー６０を捻りながらの作業となる。また、逆に、支柱５０間に架渡された手摺バー６０を取外す作業も、手摺バー６０を捻りながらの作業となる。
【００３０】
ところで、上述のように支柱５０に手摺バー６０を取付けると、支柱５０に対して手摺バー６０がブラブラする。しかしながら、支柱５０間に手摺バー６０を一旦、架渡すと、手摺バー６０に捻る力を意図的に与えなければ、手摺バー６０が支柱５０から外れることがない。よって、本例の仮設手摺７０では、不用意に外れない安定した手摺バー６０とすることができる。
【００３１】
また、多数の支柱５０の各間に手摺バー６０を架渡す場合、隣接する手摺バー６０の夫々の一端の掛止孔６３を共通する一つのフック５１に掛止することとして、多数の支柱５０の各間に手摺バー６０を一方向に順次、架渡すこととすれば、後から掛止した手摺バー６０をフック５１から外さない限り、先に掛止した手摺バー６０がフック５１から外れないため、簡単には外れない手摺バー６０とすることができる。
【００３２】
また、フック５１が支柱５０の全周に渡って１８０°、９０°及び９０°の間隔で３箇所に設けられているため、仮設手摺７０の角の部分に立設された支柱５０にも、手摺バー６０を組付けることができる。また、図２に示すように、仮設手摺７０の内側にはフック５１が存在しないように支柱５０を立設して、仮設手摺７０の外側に突出するフック５１を用いて手摺バー６０を組付ければ、仮設手摺７０の内側に無用なフック５１が突出しない。よって、建造物の施工作業に際して、作業者の衣服や作業道具がフック５１に引っ掛かり難くすることができる。
【図面の簡単な説明】
【００３３】
【図１】本発明に係る支柱取付け具の一例を示す斜視図である。
【図２】本発明に係る手法により形成した仮設手摺の一例を示す斜視図である。
【図３】従来の手法により形成した仮設手摺の一例を示す斜視図である。
【符号の説明】
【００３４】
Ｈ  梁材（立設対象）
Ｈａ  上部フランジ
Ｈｂ  下部フランジ
１０  支柱取付け具
２０  中空部材
３０  固定クランプ部
３１  挟持具
３２  基体
３３  挟持ボルト
４０  支柱クランプ部
４１  把持具
４２  台座
４３  蓋体
４４  ボルト装着部
４５  ボルト
４６  締付けナット
５０  支柱
５１  フック
６０  手摺バー
６１  外筒
６２  内筒
６３  掛止孔
７０  仮設手摺
【図１】
2008255689.tif 000003
【図２】
2008255689.tif 000004
【図３】
2008255689.tif 000005